(57)【要約】【課題】  本発明は、電動丸鋸を使用して、加工材料の墨線を見ながら加工材料を精度良くかつきわめて安全に切断することができる電動丸鋸加工装置を得ることを目的とする。【解決手段】  本発明の電動丸鋸加工装置は、丸鋸ガイド１と、該丸鋸ガイド１を開閉自在に支持する台盤２とから構成されてなる。丸鋸ガイド１は、長方形状に開口形成された金属製の案内枠３と、該案内枠３の開口部分を下方側から塞ぐ透明板４からなる。電動丸鋸Ａの丸鋸刃Ｃが回転する前記透明板４の位置には、電動丸鋸Ａが摺動する区間の長手方向に沿って平行に所定の長さの貫通溝６が形成される。台盤２は、前記丸鋸ガイド１より大きく形成された長方形状の支持板８と、該支持板８の長手方向両端に短手方向に沿って固定された所定高さの支持台９とからなる。前記台盤２の一方端には、前記貫通溝６と直交する方向に等間隔で加工材料を位置決めする複数個の直角ストッパー１０を形成する。【選択図】  図１
2006346894.tif 000002
【特許請求の範囲】
【請求項１】
電動丸鋸Ａを案内枠に沿って案内摺動させ、加工材料を墨線に沿って切断することができる丸鋸ガイドと、該丸鋸ガイドを開閉自在に支持し、前記丸鋸ガイドと協働して加工材料を挟持することができる台盤とを設けたことを特徴とする電動丸鋸加工装置。
【請求項２】
前記丸鋸ガイドは、電動丸鋸Ａが長手方向に案内されて摺動する長方形状に開口形成された案内枠と、該案内枠の開口部分を下方側から塞ぐ透明板から構成されてなり、前記透明板には電動丸鋸Ａの丸鋸刃Ｃが摺動する区間に沿って平行に所定の長さの貫通溝を形成したことを特徴とする請求項１記載の電動丸鋸加工装置。
【請求項３】
前記透明板の下面に弾力性のある滑り止めを多数配列固着したことを特徴とする請求項２記載の電動丸鋸加工装置。
【請求項４】
前記台盤は、前記丸鋸ガイドの下方に形成された長方形状の支持板と、該支持板の一方端には等間隔で加工材料を直角に位置決めする複数個の直角ストッパーを形成し、前記支持板の長手方向両端に短手方向に沿って下部に固定された所定高さの支持台とからなることを特徴とする請求項１記載の電動丸鋸加工装置。
【請求項５】
前記直角ストッパーは、直角位置決め側を円弧面とした一定半径の扇形に形成し、弾性体により常時上方に付勢して回転起伏自在に構成したことを特徴とする請求項４記載の電動丸鋸加工装置。
【発明の詳細な説明】
【技術分野】
【０００１】
本発明は、電動丸鋸を使用して、加工材料を精度良く安全で簡便に切断することができる電動丸鋸加工装置に関する。
【背景技術】
【０００２】
従来、電動丸鋸は加工材料の切断に広く使用されていて、加工材料に墨線を入れて使用することが一般的である。
例えば、加工材料の墨線に沿って丸鋸を移動するか（特許文献１を参照）或いは加工部分に定規を当てて丸鋸を使用していた（特許文献２を参照）。
しかし、加工材料の墨線に沿って電動丸鋸を使用するには相当の熟練を要しているし、加工中のトラブルは尽きない。
すなわち、引き曲がりによる材料、時間の無駄、丸鋸刃による事故である。
又、加工材料を電動丸鋸で加工する時、加工材料の表面性重視する場合は加工材料を裏面にして傷、汚れが出ないようにしている。
そのため、加工材料を裏面から加工する場合には、墨線が見えないため誤作業が多い。
【特許文献１】実用新案登録第２５６２４３１号公報
【特許文献２】実公平１−１４４０１号公報
【発明の開示】
【発明が解決しようとする課題】
【０００３】
本発明は、電動丸鋸を使用して、加工材料の墨線を見ながら加工材料を精度良くかつきわめて安全に切断することができる電動丸鋸加工装置を得ることを目的とする。
【課題を解決するための手段】
【０００４】
本発明の電動丸鋸加工装置は、電動丸鋸Ａを案内枠に沿って案内摺動させ、加工材料を墨線に沿って切断することができる丸鋸ガイドと、該丸鋸ガイドを開閉自在に支持し、前記丸鋸ガイドと協働して加工材料を挟持することができる台盤とを設けたものである。
前記丸鋸ガイドは、電動丸鋸Ａが長手方向に案内されて摺動する長方形状に開口形成された案内枠と、該案内枠の開口部分を下方側から塞ぐ透明板から構成されてなり、前記透明板には電動丸鋸Ａの丸鋸刃Ｃが摺動する区間に沿って平行に所定の長さの貫通溝を形成したものである。
さらに、前記透明板の下面部に弾力性のある滑り止めを多数配列固着したものである。
前記台盤は、前記丸鋸ガイドの下方に形成された長方形状の支持板と、該支持板の一方端には等間隔で加工材料を直角に位置決めする複数個の直角ストッパーを形成し、前記支持板の長手方向両端に短手方向に沿って下部に固定された所定高さの支持台とからなるものである。
さらに、前記直角ストッパーは、直角位置決め側を円弧面とした一定半径の扇形に形成し、弾性体により常時上方に付勢して回転起伏自在に構成したものである。
【発明の効果】
【０００５】
本発明の電動丸鋸加工装置は、丸鋸ガイドに案内枠（フレーム構造）と透明板を組み合わせたことにより、電動丸鋸が外れない安定した軌道を作ることができた。
本発明の電動丸鋸加工装置は、丸鋸刃が丸鋸ガイドの透明板内部において回転しているので、飛散物の防止及び丸鋸刃が隔離されていることの安心感が高い安全性を確保できた。
本発明の電動丸鋸加工装置は、電動丸鋸の移動個所に透明板を取り付けたことにより、加工中の状態が良く見えるようになり、加工墨線の確認し易くなった。
本発明の電動丸鋸加工装置は、透明板の取り付けにより、加工する材料と丸鋸ベース（固定盤）が接触しないので、加工中の傷、汚れが出なくなったし、又表面側から加工できるので作業性が向上する。
本発明の電動丸鋸加工装置は、台盤の直角ストッパーは刃物線から常に水平な位置にあり、加工材料を置いて丸鋸ガイドを降ろし、手で位置決めをしてセットを完了することができるので、加工までの時間を大幅に短縮することができる。
本発明の電動丸鋸加工装置は、加工材料の形状が極小から大きいものまで広範囲にできるようになった。
本発明の電動丸鋸加工装置は、加工材料の材質、木材から金属、表面性粗から精密品まで対応できる。
本発明の電動丸鋸加工装置は、丸鋸ガイドに透明板を組み合わせたことにより、加工材料は通常手で押さえた力で充分な保持力が得られる。
【発明を実施するための最良の形態】
【０００６】
本発明の電動丸鋸加工装置の一実施例を図面に基づいて、以下に説明する。
図１は、本発明の電動丸鋸加工装置と電動丸鋸Ａの全体斜視図を示す。
本発明の電動丸鋸加工装置は、電動丸鋸Ａを長手方向に沿って案内摺動させ、加工材料を墨線に沿って切断することができる丸鋸ガイド１と、該丸鋸ガイド１を開閉自在に支持し、前記丸鋸ガイド１と協働して加工材料を挟持することができる台盤２とから構成されてなる。
【０００７】
前記丸鋸ガイド１は、電動丸鋸Ａが長手方向に案内されて摺動する長方形状に開口形成された金属製の案内枠３と、該案内枠３の開口部分を下方側から塞ぐ透明板４からなる。
前記案内枠３内部の透明板４の上面には、長手方向に沿った側に滑りを良くする滑りテープ５を貼着し、該滑りテープ５の上に前記電動丸鋸Ａが載置され、電動丸鋸Ａの固定盤Ｂは前記案内枠３内部に嵌合され、長方形状の透明板４上面を長手方向に案内されて摺動する。
また、前記電動丸鋸Ａの丸鋸刃Ｃが回転する前記透明板４の位置には、前記丸鋸刃Ｃが貫通する貫通溝６を形成し、図１に示すように前記電動丸鋸Ａが摺動する区間の長手方向に沿って平行に所定の長さの貫通溝６が形成される。
なお、丸鋸ガイド１の透明板４は刃物線からの戻し墨線を記してある。
さらに、前記透明板４の裏面には小突起物で弾力性のある滑り止め７が等間隔で設けられ、該滑り止め７が台盤２と協働して加工材料を挟着保持する役目をする。
前記小突起物は、星型、十字型、円盤型等の適宜の形状にすることができる。
【０００８】
前記台盤２は、前記丸鋸ガイド１より大きく形成された長方形状の支持板８と、該支持板８の長手方向両端に短手方向に沿って固定された所定高さの支持台９とからなる。
前記支持板８には、前記電動丸鋸Ａの丸鋸刃Ｃが回転する前記支持板８の位置には、図２に示すように前記丸鋸刃Ｃが貫通する貫通溝６を形成し、前記電動丸鋸Ａが摺動する区間の長手方向に沿って平行に所定の幅及び長さの貫通溝６が形成される。
また、前記台盤２の一方端、すなわち支持板８の一方端には、図１に示すように前記貫通溝６と直交する方向に等間隔で加工材料を位置決めする複数個の直角ストッパー１０を形成する。
前記直角ストッパー１０は、図３に示すように前記支持台９に平行に設けられたストッパー支持台１１に上方に付勢された板バネ１２に支持金具を介して固定された一定半径の扇形状部材からなり、直角位置決め側を円弧面とし、常時は実線で示す如く前記支持板８上面から突出し、加工材料Ｗが載った時には板バネ１２に抗して一点鎖線で示す如く前記支持板８上面から埋没するようになっている。
なお、板バネ１２としたがこれに限らず、出没可能とする弾性体であればよく、直角ストッパー１０内部にコイルスプリング等を設けることも可能である。
そして、前記台盤２の長手方向両端からは奥行き方向に沿って金属製の帯状連結板１３を延出し、帯状連結板１３先端に丁番１４を介して可撓板１５を連結し、該可撓板１５の他端を前記丸鋸ガイド１の端部に固定して前記丸鋸ガイド１を前記丁番１４を介して開閉自在に支持し、前記丸鋸ガイド１と前記台盤２と協働して加工材料Ｗを挟持することができるようにする。
なお、前記丸鋸ガイド１と前記台盤２との帯状連結板１３による開き方向を、右開き、左開き、上方開きの三方向にすることができる。
開き方向については、丸鋸勝手、加工材料の加工目的、角材、板材、加工頻度などにより決められる。
【０００９】
次に、本発明の電動丸鋸加工装置の動作を図面に基づいて以下に説明する。
図１に示すように、加工材料Ｗを切断する場合には、丁番１４を支点にして丸鋸ガイド１を矢印で示すように持ち上げ、図２の一点鎖線で示すように台盤２と丸鋸ガイド１との間に加工材料Ｗを挿入できる空間を形成する。
その際、図１に示す台盤２の一方端に設けた丸鋸ガイドスタンド１６を矢印のように引き起こし、該丸鋸ガイドスタンド１６の支え部材１７に丸鋸ガイド１を載せ、丸鋸ガイドスタンド１６により丸鋸ガイド１を支えるようにすれば良い。
このようにして、図２の一点鎖線で示すように丸鋸ガイド１を開いたら、加工材料Ｗを支持板８上に載せ、直角ストッパー１０に加工材料Ｗの縁を当てて位置決めを行い、前記丸鋸ガイド１を閉じる。
前記丸鋸ガイド１を閉じると、透明板４の裏側に設けてある滑り止め７が加工材料Ｗに当接し、加工材料Ｗが移動しないように押さえられる。
なお、切断する加工材料Ｗの厚さが変化しても、前記丸鋸ガイド１は可撓板１５を介して丁番１４に連結されているので、加工材料Ｗの厚さに応じて前記可撓板１５が撓み前記丸鋸ガイド１は平行に押さえられる。
【００１０】
そして、前記丸鋸ガイド１の透明板４を透して加工材料Ｗの墨線を確認しながら、墨線と透明板４の貫通溝６とを一致させるように丸鋸ガイド１を少し浮かせながら加工材料Ｗを前後に調整を行う。
調整が終了したら、電動丸鋸Ａの丸鋸刃Ｃを貫通溝６に嵌合させて電動丸鋸Ａを丸鋸ガイド１に載せる。
次に、電動丸鋸Ａのスイッチを入れて丸鋸刃Ｃを回転させて丸鋸ガイド１に沿って電動丸鋸Ａを摺動させると、直角ストッパー１０に加工材料Ｗの縁を直角位置決めさせているので墨線に沿って直角に加工材料Ｗを切断することができる。
そのほかに、図１に示す長尺状の加工材料ｗの場合にも、墨線を透明板４から透視することができるので墨線に沿って長尺状の加工材料ｗを切断することができる。
なお、電動丸鋸加工装置から前記丸鋸ガイド１を外し、この外した状態の丸鋸ガイド１を単独で使用することができる。
すなわち、丸鋸ガイド１と台盤２との帯状連結板１３、丁番１４、可撓板１５を外して、丸鋸ガイド１単体にすることにより、加工材料の大きさ、加工できる場所などに制約を受けないで加工出来るようになる。
【図面の簡単な説明】
【００１１】
【図１】本発明の電動丸鋸加工装置を示す全体斜視図である。
【図２】本発明の電動丸鋸加工装置の横断面図である。
【図３】台盤の要部縦断面図である。
【符号の説明】
【００１２】
１  丸鋸ガイド
２  台盤
３  案内枠
４  透明板
５  滑りテープ
６  貫通溝
７  滑り止め
８  支持板
９  支持台
１０  直角ストッパー
１１  ストッパー支持台
１２  板バネ
１３  帯状連結板
１４  丁番
１５  可撓板
１６  丸鋸ガイドスタンド
１７  支え部材
【図１】
2006346894.tif 000003
【図２】
2006346894.tif 000004
【図３】
2006346894.tif 000005